(57)【要約】【課題】８字環を位置決めでき且つ作業効率の低下を抑制できる伸縮調節器アタッチメント及びランヤードを提供すること。【解決手段】伸縮調節器アタッチメントは、ランヤードの伸縮調節器に固定可能な本体と、本体に固定される磁石と、を備える。また、ランヤードは、ロープと、ロープに取り付けられる伸縮調節器と、伸縮調節器に固定される伸縮調節器アタッチメントと、ロープに取り付けられる８字環と、を備える。ランヤードにおける伸縮調節器アタッチメントは、伸縮調節器に固定される本体と、本体に固定される磁石と、を備える。【選択図】図２
2019129972.tif 000002
【特許請求の範囲】
【請求項１】
ランヤードの伸縮調節器に固定可能な本体と、
前記本体に固定される磁石と、
を備える伸縮調節器アタッチメント。
【請求項２】
前記本体は、
前記伸縮調節器のうちロープが貫通するロープ保持部を挟む側板と、
前記側板に対して交差し且つ前記ロープ保持部よりも前記ロープに取り付けられた８字環側に位置する前板と、
を備え、
前記磁石は、前記前板に固定される
請求項１に記載の伸縮調節器アタッチメント。
【請求項３】
前記側板は、前記ロープ保持部の側面から突出する回転軸の頭部の外周よりも大きな内周を有する孔を備える
請求項２に記載の伸縮調節器アタッチメント。
【請求項４】
前記側板は、前記孔が前記回転軸の頭部に重なった状態において、前記ロープ保持部の端部よりも前記８字環側に位置する突出部を備え、
前記側板は、前記突出部を貫通する締付部材によって締め付けられる
請求項３に記載の伸縮調節器アタッチメント。
【請求項５】
ロープと、
前記ロープに取り付けられる伸縮調節器と、
前記伸縮調節器に固定される伸縮調節器アタッチメントと、
前記ロープに取り付けられる８字環と、
を備え、
前記伸縮調節器アタッチメントは、
前記伸縮調節器に固定される本体と、
前記本体に固定される磁石と、
を備えるランヤード。
【発明の詳細な説明】
【技術分野】
【０００１】
本発明は、伸縮調節器アタッチメント及びランヤードに関する。
【背景技術】
【０００２】
電柱等に昇って高所で作業する作業者は、落下を防止するために柱上安全帯を装着する。特許文献１には、柱上安全帯の一例が記載されている。特許文献１の柱上安全帯は、いわゆる１本つり及びＵ字つり兼用の柱上安全帯である。１本つりでは、ロープが電柱等に巻きかけられ、ロープの先端にあるフックがロープの途中にある８字環に接続される。Ｕ字つりでは、ロープが電柱等に巻きかけられ、ロープの先端にあるフックが作業者の体に巻かれたベルトのリングに接続される。
【先行技術文献】
【特許文献】
【０００３】
【特許文献１】実用新案登録第３０００１７８号公報
【発明の概要】
【発明が解決しようとする課題】
【０００４】
Ｕ字つりの時には８字環がロープに沿って自由に動く。動いた８字環が碍子に当たると、碍子が破損する可能性がある。このため、Ｕ字つりの時には８字環が固定されていることが望ましい。しかし、８字環が固定されているとロープの付け替えの時の作業効率が低下する。
【０００５】
本開示は、上記に鑑みてなされたものであって、８字環を位置決めでき且つ作業効率の低下を抑制できる伸縮調節器アタッチメント及びランヤードを提供することを目的とする。
【課題を解決するための手段】
【０００６】
上記の目的を達成するため、本開示の伸縮調節器アタッチメントは、ランヤードの伸縮調節器に固定可能な本体と、前記本体に固定される磁石と、を備える。
【０００７】
これにより、作業者は、８字環を使用しない時に、８字環を磁石に近付けることによって８字環を位置決めすることができる。また、作業者は、ロープを付け替える時すなわち８字環を使用する時に、８字環を磁石から容易に外すことができる。したがって、伸縮調節器アタッチメントは、８字環を位置決めでき且つ作業効率の低下を抑制できる。
【０００８】
本開示の伸縮調節器アタッチメントの望ましい態様として、前記本体は、前記伸縮調節器のうちロープが貫通するロープ保持部を挟む側板と、前記側板に対して交差し且つ前記ロープ保持部よりも前記ロープに取り付けられた８字環側に位置する前板と、を備え、前記磁石は、前記前板に固定される。
【０００９】
これにより、伸縮調節器アタッチメントが伸縮調節器に取り付けられた状態で、磁石が８字環のある方向に向く。磁石が８字環を引き寄せやすくなるので、８字環の位置決めがより容易となる。また、磁石を側板に固定する場合と比較して、磁石の固定が容易である。さらに、磁石の位置がロープの位置に対してずれるので、磁石とロープとの干渉が抑制され、ロープの動きが阻害されにくい。
【００１０】
本開示の伸縮調節器アタッチメントの望ましい態様として、前記側板は、前記ロープ保持部の側面から突出する回転軸の頭部の外周よりも大きな内周を有する孔を備える。
【００１１】
これにより、孔を回転軸の頭部に重ねることによって、側板が回転軸の頭部に干渉しなくなる。このため、伸縮調節器アタッチメントは、伸縮調節器に取り付けられた場合に姿勢が安定する。
【００１２】
本開示の伸縮調節器アタッチメントの望ましい態様として、前記側板は、前記孔が前記回転軸の頭部に重なった状態において、前記ロープ保持部の端部よりも前記８字環側に位置する突出部を備え、前記側板は、前記突出部を貫通する締付部材によって締め付けられる。
【００１３】
孔が回転軸の頭部に重ねられることにより、側板が伸縮調節器に対してスライドすることが抑制される。また、締付部材によって側板が伸縮調節器に押し付けられるので、孔が回転軸の頭部から外れることが抑制される。このため、本体が伸縮調節器に固定される。伸縮調節器アタッチメントは、既存の伸縮調節器に対して後から容易に固定できる。
【００１４】
上記の目的を達成するため、本開示のランヤードは、ロープと、前記ロープに取り付けられる伸縮調節器と、前記伸縮調節器に固定される伸縮調節器アタッチメントと、前記ロープに取り付けられる８字環と、を備え、前記伸縮調節器アタッチメントは、前記伸縮調節器に固定される本体と、前記本体に固定される磁石と、を備える。
【００１５】
これにより、作業者は、８字環を使用しない時に、８字環を磁石に近付けることによって８字環を位置決めすることができる。また、作業者は、ロープを付け替える時すなわち８字環を使用する時に、８字環を磁石から容易に外すことができる。したがって、ランヤードは、８字環を位置決めでき且つ作業効率の低下を抑制できる。
【発明の効果】
【００１６】
本開示の伸縮調節器アタッチメント及びランヤードによれば、８字環を位置決めでき且つ作業効率の低下を抑制できる。
【図面の簡単な説明】
【００１７】
【図１】図１は、本実施形態の柱上安全帯の概略図である。
【図２】図２は、本実施形態の伸縮調節器及び伸縮調節器アタッチメントの側面図である。
【図３】図３は、本実施形態の伸縮調節器及び伸縮調節器アタッチメントの正面図である。
【図４】図４は、本実施形態の伸縮調節器アタッチメントの平面図である。
【発明を実施するための形態】
【００１８】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１９】
（実施形態）
図１は、本実施形態の柱上安全帯の概略図である。本実施形態の柱上安全帯１００は、電柱等に昇って行われる高所作業で用いられる。高所で作業する作業者が柱上安全帯１００を装着する。柱上安全帯１００は、いわゆる１本つり及びＵ字つり兼用の柱上安全帯である。図１に示すように、柱上安全帯１００は、ベルト９と、ランヤード１０と、を備える。
【００２０】
ベルト９は、作業者の腰等に巻き付けられる。図１に示すように、ベルト９は、金具９１と、金具９２と、金具９３と、を備える。金具９１は、例えば角環である。金具９２及び金具９３は、例えばＤ環である。
【００２１】
図１に示すように、ランヤード１０は、ロープ４１と、８字環４２と、フック４３と、伸縮調節器３と、伸縮調節器アタッチメント１と、を備える。ロープ４１は、伸縮調節器３を介してベルト９の金具９１に連結される。８字環４２は、２つの穴を有する金具である。８字環４２は、ロープ４１に取り付けられる。８字環４２の２つの穴の一方にロープ４１が通る。８字環４２は、磁性材料で形成されている。８字環４２は、例えば、炭素鋼で形成されている。フック４３は、ロープ４１の端部に取り付けられる。
【００２２】
高所からの落下を防止するために、柱上安全帯１００を装着した作業者は、ロープ４１を電柱等の構造物に巻きかける。１本つりで体を支持する場合、作業者は、フック４３を８字環４２の穴に連結する。１本つりは、Ｕ字つりと比較して作業者の行動範囲を広くすることができる。Ｕ字つりで体を支持する場合、作業者は、ベルト９の金具９２又は金具９３に連結する。Ｕ字つりは、１本つりと比較して作業者の姿勢を安定させることができる。
【００２３】
図２は、本実施形態の伸縮調節器及び伸縮調節器アタッチメントの側面図である。図３は、本実施形態の伸縮調節器及び伸縮調節器アタッチメントの正面図である。図４は、本実施形態の伸縮調節器アタッチメントの平面図である。
【００２４】
伸縮調節器３は、ロープ４１に取り付けられる。伸縮調節器３は、ロープ４１のうち作業者の体を支持するために用いられる部分の長さを調節するための装置である。すなわち、伸縮調節器３は、ロープ４１のうちベルト９との連結部分からフック４３までの長さを調節するための装置である。伸縮調節器３は、例えばステンレス鋼で形成されている。これにより、雨水等によって伸縮調節器３が錆びることが抑制される。図２に示すように、伸縮調節器３は、ロープ保持部３１と、第１爪部３２と、第２爪部３４と、把持部３３と、連結部３９と、を備える。
【００２５】
図２に示すように、ロープ保持部３１は、ロープ４１が貫通する部材である。図３に示すように、ロープ保持部３１は、略Ｕ字状である。
【００２６】
第１爪部３２は、ロープ保持部３１に対して回転できるようにロープ保持部３１に連結される。図２に示すように、第１爪部３２は、回転軸３０１を介してロープ保持部３１に連結される。回転軸３０１の頭部３０１ａは、ロープ保持部３１の側面から突出している。
【００２７】
第２爪部３４は、ロープ保持部３１に対して回転できるようにロープ保持部３１に連結される。図２に示すように、第２爪部３４は、回転軸３０４を介してロープ保持部３１に連結される。回転軸３０４の頭部３０４ａは、ロープ保持部３１の側面から突出している。
【００２８】
把持部３３は、第１爪部３２に対して回転できるように第１爪部３２に連結される。図２に示すように、把持部３３は、回転軸３０２を介して第１爪部３２に連結される。把持部３３は、第２爪部３４に対して回転できるように第２爪部３４に連結される。図２に示すように、把持部３３は、回転軸３０３を介して第２爪部３４に連結される。図２に示すように、把持部３３は、弾性部材３３１を備える。弾性部材３３１は、ねじりコイルばねである。
【００２９】
弾性部材３３１の弾性力によって、第１爪部３２がロープ４１をロープ保持部３１に押し付ける。このため、ロープ４１の移動が規制される。把持部３３にロープ保持部３１に近付く方向の力が加わると、第１爪部３２及び第２爪部３４が回転する。このため、ロープ４１がロープ保持部３１に対して移動できるようになる。
【００３０】
連結部３９は、伸縮調節器３をベルト９の金具９１に連結するための部材である。連結部３９に設けられたフックが金具９１に取り付けられる。連結部３９は、回転軸３０３に取り付けられており、回転軸３０３に対して回転可能である。
【００３１】
伸縮調節器アタッチメント１は、伸縮調節器３に固定可能な部材である。図２に示すように、伸縮調節器アタッチメント１は、ロープ保持部３１に固定される。図２から図４に示すように、伸縮調節器アタッチメント１は、本体２と、磁石１５と、を備える。
【００３２】
本体２は、金属で形成されている。例えば、本体２は、溶融亜鉛メッキが施された鋼材等で形成される。これにより、雨水等によって本体２が錆びることが抑制される。図２に示すように、本体２は、ロープ保持部３１の８字環４２側の端部に固定される。本体２は、側板２１と、前板２３と、裏板２５と、裏板２６と、締付部材２８と、を備える。
【００３３】
側板２１は、図３に示すようにロープ保持部３１に沿う形状を有する。側板２１は、略Ｕ字状である。側板２１は、ロープ保持部３１を挟む。側板２１は、ロープ保持部３１の両側面に接する。図２に示すように、側板２１は、基部２１１と、突出部２１２と、を備える。基部２１１は、ロープ保持部３１に重なり、ロープ保持部３１に接する。基部２１１は、孔２１０を備える。孔２１０の内周は、回転軸３０１の頭部３０１ａの外周よりも大きい。孔２１０は、円形である。孔２１０の直径は、頭部３０１ａの直径よりも大きい。頭部３０１ａは、孔２１０の内側に位置する。すなわち、孔２１０は、頭部３０１ａに重なっている。突出部２１２は、基部２１１からロープ４１の端部側に突出している。すなわち、突出部２１２は、ロープ保持部３１の端部よりも８字環４２側に位置する。
【００３４】
前板２３は、側板２１に対して交差する。例えば、前板２３は、ロープ４１の延びる方向に対して直交している。前板２３は、ロープ保持部３１よりも８字環４２側に位置する。図４に示すように、ロープ４１の延びる方向において、前板２３の表面の位置は、側板２１の端部の位置と同じである。
【００３５】
裏板２５及び裏板２６は、側板２１に沿っており、側板２１の内表面に接する。例えば、裏板２５及び裏板２６は、前板２３に対して直交しており、前板２３と一体に形成されている。前板２３の一端から裏板２５が伸縮調節器３側に延びている。前板２３の他端から裏板２６が伸縮調節器３側に延びている。前板２３、裏板２５及び裏板２６によって略Ｕ字が描かれる。
【００３６】
締付部材２８は、側板２１をロープ保持部３１に押し付けるための部材である。図４に示すように、締付部材２８は、ボルト２８１と、ナット２８２と、を備える。ボルト２８１は、側板２１、裏板２５及び裏板２６を貫通する。ボルト２８１によって、裏板２５及び裏板２６が側板２１に固定される。ナット２８２は、ボルト２８１の一端に取り付けられる。ナット２８２が締め付けられることで、側板２１の基部２１１がロープ保持部３１の側面に押し付けられる。孔２１０が回転軸３０１の頭部３０１ａに重なっており、且つ側板２１がロープ保持部３１に押し付けられることによって、本体２がロープ保持部３１に固定される。また、本体２は、既存の伸縮調節器３に後から固定することが可能である。
【００３７】
図２から図４に示すように、磁石１５は、本体２の前板２３に固定される。磁石１５は、例えば接着剤によって前板２３に固定される。磁石１５は、伸縮調節器３に対して８字環４２のある側に位置する。磁石１５は、例えばフェライト磁石、又はネオジム磁石等である。８字環４２が磁石１５に近付くと、磁石１５が８字環４２を引き寄せる。これにより、８字環４２が位置決めされる。作業者が８字環４２に所定の力を加えると、８字環４２が磁石１５から外れて移動できるようになる。例えば、作業者が片手で８字環４２に力を加えれば８字環４２が磁石１５から外れる。
【００３８】
なお、伸縮調節器アタッチメント１は、必ずしも上述した構成を有していなくてもよい。例えば、伸縮調節器アタッチメント１が前板２３を備えず、磁石１５が側板２１に固定されてもよい。例えば、磁石１５の側面が側板２１の内表面に接するように、磁石１５が側板２１に固定されてもよい。磁石１５が環状であって、ロープ４１が磁石１５を貫通するように配置されてもよい。
【００３９】
本体２の材料は、必ずしも上述した材料に限定されない。本体２の材料は、例えばステンレス鋼、又はアルミニウム合金等であってもよい。本体２は、錆びにくい材料で形成されることが望ましい。側板２１は、Ｕ字状でなくてもよい。例えば、側板２１は、ロープ保持部３１の両側に配置される２つの板であってもよい。また、前板２３は、側板２１と一体であってもよい。すなわち、前板２３及び側板２１は、１つの材料を成形することで製造されていてもよい。
【００４０】
ランヤード１０は、上述した構成以外の構成を備えていてもよい。例えば、ランヤード１０は、フック４３とは反対側のロープ４１の端部にフックを備えていてもよい。また、伸縮調節器３の向きは、必ずしも図１に示す配置でなくてもよい。例えば、作業者が柱上安全帯１００を装着した状態で、把持部３３がロープ保持部３１よりも下側に位置してもよい。すなわち、ロープ４１が把持部３３の下側を通過するように伸縮調節器３が配置されていてもよい。また、図２に示す回転軸３０４が回転軸３０１に対して８字環４２側に配置されていてもよい。すなわち、図２に示す配置とは左右逆向きに伸縮調節器３が配置されていてもよい。この場合、本体２の孔２１０は、回転軸３０４の頭部３０４ａに重ねられる。８字環４２の材料は、上述した材料に限定されない。８字環４２は、少なくとも磁性材料であればよい。
【００４１】
以上で説明したように、伸縮調節器アタッチメント１は、ランヤード１０の伸縮調節器３に固定可能な本体２と、本体２に固定される磁石１５と、を備える。
【００４２】
これにより、作業者は、８字環４２を使用しない時に、８字環４２を磁石１５に近付けることによって８字環４２を位置決めすることができる。また、作業者は、ロープ４１を付け替える時すなわち８字環４２を使用する時に、８字環４２を磁石１５から容易に外すことができる。したがって、伸縮調節器アタッチメント１は、８字環４２を位置決めでき且つ作業効率の低下を抑制できる。
【００４３】
伸縮調節器アタッチメント１において、本体２は、伸縮調節器３のうちロープ４１が貫通するロープ保持部３１を挟む側板２１と、側板２１に対して交差し且つロープ保持部３１よりもロープ４１に取り付けられた８字環４２側に位置する前板２３と、を備える。磁石１５は、前板２３に固定される。
【００４４】
これにより、伸縮調節器アタッチメント１が伸縮調節器３に取り付けられた状態で、磁石１５が８字環４２のある方向に向く。磁石１５が８字環４２を引き寄せやすくなるので、８字環４２の位置決めがより容易となる。また、磁石１５を側板２１に固定する場合と比較して、磁石１５の固定が容易である。さらに、磁石１５の位置がロープ４１の位置に対してずれるので、磁石１５とロープ４１との干渉が抑制され、ロープ４１の動きが阻害されにくい。
【００４５】
伸縮調節器アタッチメント１において、側板２１は、ロープ保持部３１の側面から突出する回転軸３０１の頭部３０１ａの外周よりも大きな内周を有する孔２１０を備える。
【００４６】
これにより、孔２１０を回転軸３０１の頭部３０１ａに重ねることによって、側板２１が回転軸３０１の頭部３０１ａに干渉しなくなる。このため、伸縮調節器アタッチメント１は、伸縮調節器３に取り付けられた場合に姿勢が安定する。
【００４７】
伸縮調節器アタッチメント１において、側板２１は、孔２１０が回転軸３０１の頭部３０１ａに重なった状態において、ロープ保持部３１の端部よりも８字環４２側に位置する突出部２１２を備える。側板２１は、突出部２１２を貫通する締付部材２８によって締め付けられる。
【００４８】
孔２１０が回転軸３０１の頭部３０１ａに重ねられることにより、側板２１が伸縮調節器３に対してスライドすることが抑制される。また、締付部材２８によって側板２１が伸縮調節器３に押し付けられるので、孔２１０が回転軸３０１の頭部３０１ａから外れることが抑制される。このため、本体２が伸縮調節器３に固定される。伸縮調節器アタッチメント１は、既存の伸縮調節器３に対して後から容易に固定できる。
【００４９】
ランヤード１０は、ロープ４１と、ロープ４１に取り付けられる伸縮調節器３と、伸縮調節器３に固定される伸縮調節器アタッチメント１と、ロープ４１に取り付けられる８字環４２と、を備える。伸縮調節器アタッチメント１は、伸縮調節器３に固定される本体２と、本体２に固定される磁石１５と、を備える。
【００５０】
これにより、作業者は、８字環４２を使用しない時に、８字環４２を磁石１５に近付けることによって８字環４２を位置決めすることができる。また、作業者は、ロープ４１を付け替える時すなわち８字環４２を使用する時に、８字環４２を磁石１５から容易に外すことができる。したがって、ランヤード１０は、８字環４２を位置決めでき且つ作業効率の低下を抑制できる。
【符号の説明】
【００５１】
１  伸縮調節器アタッチメント
１０  ランヤード
１５  磁石
１００  柱上安全帯
２  本体
２１  側板
２１０  孔
２１１  基部
２１２  突出部
２３  前板
２５、２６  裏板
２８  締付部材
２８１  ボルト
２８２  ナット
３  伸縮調節器
３０１、３０２、３０３、３０４  回転軸
３０１ａ、３０４ａ  頭部
３１  ロープ保持部
３２  第１爪部
３３  把持部
３４  第２爪部
３９  連結部
４１  ロープ
４２  ８字環
４３  フック
９  ベルト
９１、９２、９３  金具
【図１】
2019129972.tif 000003
【図２】
2019129972.tif 000004
【図３】
2019129972.tif 000005
【図４】
2019129972.tif 000006